(57)【特許請求の範囲】
【請求項１】
円筒体の先端部に注出口を設けて注射器状に形成された二つの円筒容器体を接するようにして並列状に連結して形成すると共に、円筒容器体に沿ってラチェット部材を前記連結部に立設した注出容器本体と、二つの筒状をしたピストンを前記円筒容器体に挿入可能にして並列状に連結して形成すると共に、前記円筒容器体に沿って設けられたラチェット歯に前記筒状ピストンに沿って操作レバーを設けた支持体を前記ピストンの連結部に立設したピストン体とを形成して、前記注出容器本体に前記ピストン体を進退自在に挿入して連結すると共に、前記支持体の先端部に揺動可能に設けられた操作レバーの係合歯を前記ラチェット部材に設けられたラチェット歯に係合して、前記操作レバーの揺動操作により前記ピストン体を前進可能に形成してなることを特徴とする定量吐出が可能な二液注出容器。
【請求項２】
前記注出容器本体は、前記円筒容器体と第一連結部材およびラチェット部材とが熱可塑性合成樹脂の射出成形により一体成形されてなることを特徴とする請求項１に記載する定量吐出が可能な二液注出容器。
【請求項３】
前記注出容器本体は、前記円筒容器体の上端部に注出ヘッドを嵌着して注出可能に連結されてなることを特徴とする請求項１に記載する定量吐出が可能な二液注出容器。
【請求項４】
前記ピストン体は、前記円筒状のピストンと第二連結部材および支持体とが熱可塑性合成樹脂の射出成形により一体成形されてなることを特徴とする請求項１に記載する定量吐出が可能な二液注出容器。
【請求項５】
前記ラチェット部材は、前記円筒容器体に沿うようにして第一連結部材に立設した表面に、逆階段状にラチェット歯が形成されてなることを特徴とする請求項１に記載する定量吐出が可能な二液注出容器。
【請求項６】
前記支持体は、前記円筒状のピストンに沿うようにして第二連結部材に立設した先端部に形成した軸受け部に、操作レバーが揺動可能に設けられてなることを特徴とする請求項１に記載する定量吐出が可能な二液注出容器。
【請求項７】
前記操作レバーは、前記支持体の先端部に形成した軸受け部に揺動可能に軸支されると共に先端部に係合歯が設けられて、支持体と操作レバーとは湾曲変形可能にした弾性体により連結されてなることを特徴とする請求項１に記載する定量吐出が可能な二液注出容器。
【発明の詳細な説明】
【０００１】
【発明の属する技術分野】
本願の発明は、二液を混合して使用する溶液が必要とされる際に、薬剤その他の異なる二つの溶液を必要な量だけ混合して使用するための溶液を収容した混合容器に係わるもので、中でも、二つの溶液をそれぞれ別個に収容した二つの収容容器が一体に形成されていて、混合される溶液を二つの容器から一定量ずつ同時に注出させて、混合して使用するための二液注出容器に関するものである。
【０００２】
【従来の技術】
従来から各種の治療薬や消毒剤または栄養剤、あるいは、毛染め剤その他の化粧料や各種の接着剤等の二種類の異なる溶液を混合してから使用するような液状物は、予め混合した状態で容器内に保存しておくと、時間が立つに連れて化学的な反応を生じたり、溶媒が蒸発したり、凝縮して沈殿したり、硬化したりする等の不都合が発生して効力を失うことがあるので、これらの異なる二つの溶液はそれぞれ別個の容器に収容しておいて、使用する際に、二つの溶液をそれぞれ別の容器に移して混合するか、あるいは、二つの容器の開口部を合わせて一方の容器にまとめてから混合してから、使用するのが一般的であった。
【０００３】
しかし、上記したような混合方法に於いては、いずれの場合に於いても、収容されている内溶液を一旦容器から注出しながら他の容器に移さなければならないことから、内溶液を移し替える操作を行う際に、溶液を容器外にこぼすことがあるので、慎重に取り扱わなくてはならず、非常に面倒な点があった。
そこで、このような面倒で不具合な点を改良して、容器内に収容した二種類の溶液を、もっと簡単に混合可能にした各種の二液混合容器が提案されている。
【０００４】
別個に収容された二種類の溶液を、外部に漏らすことなしに簡単に混合可能にした二液混合容器として、実公平３−４３５２号公報や実開平５−３５６５２号公報等に記載するような混合容器が知られている。
これらの混合容器は、筒状をした胴部の上端に立設した広口の口頸部の内周面に中栓を嵌合した下部容器体と、前記広口の口頸部の外周面に底部の筒状部を螺合させた注出口部を有する上部容器体とからなる、溶液が収容された二つの容器体を上下に連結した構造の容器である。
そして、上部容器体を捻じって下降させることにより、前記上部容器体の注出口部のテーパー内面に垂設した押し下げ棒、または、下部容器体の底壁面に立設した押し上げ筒により前記中栓を押し下げるか、押し上げることにより仕切り体をなくして二つの容器体を連通させて、上下の容器体の内溶液を容器内で混合できるようにしたものである。
【０００５】
しかし、上記したような従来の混合容器では、上部容器体と下部容器体とを仕切っていた中栓を外すことにより二液を混合させるようにしたものであるから、上下の溶液が全て一度に混合されることになり、必要とする量以上の混合液体が生成される場合が発生すると、使い残された混合液体が長期の保存に適さないものであれば、使用されずに残された混合液体は廃棄されることになり、経済的に無駄になるという欠点があった。
そこで、このような経済的な無駄をなくすようにした二液混合容器として、使用する度に必要とする量だけを同時に注出して混合できるようにした二液混合容器が考えられるようになった。
【０００６】
そのような二液混合容器の一つの実施例として、特開平７−２９１３６５号や特開平７−３１５４４８号公報等に記載するように、異なる溶液を収容してなる同一構造の二つの容器体を、左右に立設した状態で胴部を一体に連結させて注出可能にした二液混合容器が提案されている。
上記公報等に記載される発明は、図９に示すように、溶液を収容する中空容器３２の肩部から傾斜して立設する口頸部３２ａの外周に螺合させた蓋体３３の頂壁に設けた内外のガイド筒３３ａ，３３ｂ間にノズル３４を摺動可能に設けて形成した二つの容器体３１ａ，３１ｂを、図８に見るように、前記ノズル３４がハの字状になるようにして胴壁部を接合して、内溶液を注出可能に構成した二液混合容器３１である。
【０００７】
上記のような構成をしたは、図９に示すように、ノズル３４が下降した状態ではノズルの下部周壁が外気流入口を塞ぐと共に、栓筒３５の上端部がノズル孔を閉塞して、内溶液の注出が阻止されている。
そこで、二つの容器体のそれぞれのノズル３４の摘み３６を指先に掴んで引き上げると、ノズル３４のテーパー状内面と栓筒３５との間に隙間ができてノズル孔が開くと同時に外気流入口が開口して、内溶液が注出可能になるので、図８に示すように、混合容器３１を手中に持って傾けることにより、それぞれのノズル３４ａ，３４ｂから異なる内容液が同時に流出して、直ちに合流、混合されて使用に供される。
そして、容器体内の溶液が外部に流出して容量が減少した分だけ、容器外の空気が外気流入口から流入して吸気管３７を経て中空容器３２内に取り入れられるので、二液混合容器３１が潰れる等の変形を生じることはない。
【０００８】
上記したような構成をした発明の注出混合容器は、使用するに当たって混合する際に、必要とするだけの量を容器から簡単に注出できて、そして、注出と同時に混合して使用できるようにしたものであるから、従来の混合容器のように、混合された溶液が容器内に残って無駄になるようなことがなくて、また、混合される溶液がこぼれるようなこともなくて非常に便利で、経済的である。
しかし、このような構成をした混合容器から注出される溶液の量は、ある程度は一定した量に近い範囲内で注出することができるが、決められた一定の量を正確に注出することは非常に困難であることから、一定量の溶液を正確に注出できるようにした混合容器の出現が望まれる。
【０００９】
【発明が解決しようとする課題】
本願の発明は、異なる二種類の溶液を別個に収容した二つの円筒状の容器体を、同時に注出できるように一体に連結した注出容器本体に形成すると共に、該注出容器本体内に異なる種類の溶液を別々に収容して、前記した異なる溶液を必要とするだけの一定の量を正確に注出できるように形成して、前記注出容器本体から注出された内溶液を、即座に混合することができて、無駄なく使用できるように構成した二液注出容器を提供するのを目的とする。
【００１０】
【課題を解決するための手段】
本願発明は、混合して使用する溶液が別々に収容される円筒容器体を、筒状の上端部に注出口を設けた円筒体に形成すると共に、該円筒体内に円筒状をしたピストンを往復動可能に挿入できるようにした注射器状に形成する。
このようにして注射器状に形成された混合溶液を収容する円筒容器体の二つを、その胴壁を接するようにして並列状に立設せしめて一体に連結すると共に、連結された円筒容器体に沿って階段状をしたラチェット歯を設けて二液を収容する注出容器本体を形成する。
【００１１】
そして、上記のように形成された注出容器本体の円筒容器体に挿入可能に形成された円筒状のピストンを連結部材により連結されたピストン体を形成して、前記注出容器本体に該ピストン体を摺動自在に装着して同時に前進可能に形成すると共に、前記注出容器本体の先端部に注出ノズルを有する注出ヘッドを嵌合して前記注出口に連通せしめて同時に二液を注出可能に形成して、前記ピストン体に設けた操作レバーの先端部を前記注出容器本体のラチェット歯に係合せしめて、前記操作レバーの揺動操作に伴ってピストン体を前進可能にして、円筒容器体内の二つの溶液を正確に一定量ずつ同時に注出できるように構成する。
【００１２】
【発明の実施の態様】
溶液を収容可能に形成した円筒体の上端部に注出口を形成すると共に、該円筒体に円筒状のピストンを進退自在に挿入可能に形成して、混合溶液が収容される注射器状をした円筒容器体２ａを形成する。
上記のように形成した注射器状の二個の円筒容器体２ａを、円筒壁が接するように並列状に立設せしめて円筒体連結部材（第一連結部材）７により一体に連結すると共に、前記円筒容器体の円筒壁に沿って設けられたラチェット部材４の表面に階段状に形成したラチェット歯４ａを形成して、異なる二液を収容する注出容器本体２を形成する。
【００１３】
また、前記注出容器本体２を形成した円筒容器体２ａ内に密着して挿入可能にした円筒状のピストン３ａを形成して、該ピストンの二個を並列状に立設した状態にしてピストン連結部材（第二連結部材）８により一体に結合すると共に、前記円筒容器体内に進退自在に挿入可能に形成して、前記ピストンに沿って設けられた支持体５に前記ラチェット歯４ａと係合する操作レバー９を揺動可能に設けて、前記円筒容器体２ａ内に二つのピストン３ａを同時に押し込み可能となしたピストン体３を形成する。
【００１４】
そして、上記のように形成された注射器状をした二個の円筒容器体２ａからなる注出容器本体２に、二個の円筒状のピストン３ａからなるピストン体３を進退自在に挿入して一体に結合して、二種の混合溶液を収容する容器本体を形成すると共に、前記注出容器本体２のラチェット部材４に設けられたラチェット歯４ａに、前記ピストン体３の支持体５に設けられた前記操作レバー９の先端部の係合歯９ａを係合せしめて、操作レバー９を揺動させることによりピストン体３を同時に一定長さだけ先方へ順送りさせて、注出容器本体内に収容される溶液が一定量だけ正確に注出されるように構成する。
【００１５】
上記のように構成された注出容器本体２の二つの円筒容器体２ａ内に、異なる二種類の溶液を別々に収容して、前記注出容器本体２の上端部に前記円筒容器体２ａに設けた注出口２ｂと連通する注出ヘッド６を嵌合、固定すると共に、注出ヘッド６の注出ノズル６ａに蓋体１０を螺着、密閉して、混合される溶液を前記注出ノズル６ａから一定した等量ずつを正確に注出できるようにした二液注出容器１を形成する。
このように形成された二液注出容器１から内溶液を注出して使用するには、該二液注出容器の注出ノズル６ａに螺着された蓋体１０を外してから、二液注出容器を手中に持って傾けて、前記操作レバー９を指先で押圧して揺動させて、ラチェット歯４ａに係合している操作レバー先端の係合歯９ａを一段ずつ送ることにより、ピストン体３を一定長さだけ押し進めて、二つの円筒容器体２ａ内の溶液を等量ずつ注出せしめると共に、注出された溶液を混合して使用する。
【００１６】
【実施例】
本願発明の二液注出容器について、最適な一つの実施例に基づいて、以下に図面を参照しつつ説明する。
本願の発明は、図１及び図３に示すように、注射器状に形成された円筒容器体２ａを二個並列状に立設して連結した注出容器本体２と、前記円筒容器体２ａに進退自在に挿入可能に形成した円筒状のピストン３ａを二個並列状に立設して連結したピストン体３とを結合せしめて同時に押し出し可能に形成して、前記ピストン体３に設けられた操作レバー９により該ピストン体３を一定長さだけ押し進めて、注出容器本体２の二つの円筒容器体内に収容した異なる溶液を等量ずつ注出せしめると同時に、注出された溶液を即座に混合して使用するように形成された二液注出容器１である。
【００１７】
上記のように形成された二液注出容器１は、熱可塑性合成樹脂を射出成形により円筒体を成形して、図５に示すように、該円筒体の先端部には注出ヘッド６を嵌着可能な注出口２ｂを形成すると共に、下端部には円筒状のピストン３ａを摺動自在に挿入可能な開口部を形成して、ほぼ注射器状をした円筒容器体２ａに成形する。
そして、図３に示すように、前記円筒容器体２ａを二つ並列状に立設して胴壁部が接するような状態にして下端部を第一連結部材７により連結して、該第一連結部材７から前記二つの円筒容器体２ａの側壁部に沿うようにして延設せしめてラチェット部材４を設けると共に、前記ラチェット部材４の表面にラチェット歯４ａを階段状に形成して、前記円筒容器体２ａの先端部に注出ヘッド６を嵌着せしめて、円筒容器体２ａの注出口２ｂに注出ノズル６ａを連通するように結合された注出容器本体２を形成する。
【００１８】
また、前記した注出容器本体と同様に熱可塑性合成樹脂を射出成形して円筒状に成形して、図３に示すように、前記円筒容器体２ａ内に摺動自在に挿入可能な円筒体に成形すると共に、該円筒体の先端部に摺動部材１１を嵌合、固定して前記円筒容器体２ａの内周面に密接して摺動するようにしたピストン３ａを形成する。
そして、図６に示すように、前記円筒状のピストン３ａを二つ並列状に立設して前記注出容器本体２に挿入可能な状態にして後端部を第二連結部材８により連結すると共に、該連結部材から二つの円筒状のピストン３ａの側壁面に沿うようにして延設せしめて操作レバーの支持体５を設けて一体に連結して、前記支持体５の先端部に設けた軸受け部５ａに操作レバー９を揺動可能に設けると共に、前記操作レバー９の先端に前記注出容器本体２のラチェット歯４ａに係合する係合歯９ａを設けたピストン体３を形成する。
【００１９】
上記のようにして形成された注出容器本体２の二つの円筒容器体２ａに対して、前記のように形成されたピストン体３の二つのピストン３ａを、図３に示すように摺動自在に挿入せしめて、図２に示すように一体に連結して、前記支持体５の先端部の軸受け部５ａに弾性体１２を介して揺動可能に保持された操作レバー９は、その先端部に形成された係合歯９ａが前記円筒容器体２ａに設けられたラチェット部材４のラチェット歯４ａに係合するように固定される。
【００２０】
そして、上記のように固定される操作レバー９は、図４に示したように、前記支持体５の軸受け部５ａの下に固定された弾性体１２に連結されて、湾曲した弾性体１２により上方へ付勢された状態で支持体５の先端の楕円形をした軸受け部５ａに揺動可能に保持されて、操作レバーの先端部に形成された係合歯９ａの先端面が、前記注出容器本体２のラチェット部材４に形成されたラチェット歯４ａの係止面に係合されている。
従って、前記操作レバー９を指先で押圧すると、操作レバーの支持軸が押し下げられて係合歯９ａがラチェット歯４ａから外れ、指先の押圧力を除くと弾性体１２の復元力により上に移動されて、係合歯９ａが一つ上のラチェット歯４ａに係合する揺動運動を繰り返すことにより、前記ピストン３ａをラチェット歯４ａの一つ分ずつ押し進めて、円筒容器体２ａ内の溶液を一定量ずつ正確に注出せしめて二液を混合可能にした注出容器１が構成される。
【００２１】
上記のように構成された二液混合可能な注出容器には、注出容器本体２の先端部の注出口２ｂから二つの円筒容器体２ａの内部に混合される溶液を収容した後で、前記注出口２ｂに注出ノズル６ａを連通せしめて注出可能にして嵌着し、前記円筒容器体２ａの先端部に注出ヘッド６を嵌合、固定してから、前記注出ヘッド６の注出ノズル６ａに蓋体１０を嵌着せしめて密閉した定量注出が可能な二液注出容器１が形成される。
【００２２】
上記のようにして定量注出を可能に形成された二液注出容器１から内溶液を定量に注出して混合して使用に供するには、前記注出ヘッド６の注出ノズル６ａに嵌着して密閉した蓋体１０を外して注出ノズル６ａが開口してから、図５（ａ）に示すように、前記操作レバー９を弾性体１２の力に逆らって指先で押圧すると、操作レバー９の支持軸が楕円形の軸孔に沿って押し下げられて、図５（ｂ）に示すように、操作レバー９は軸受け部５ａの底部を支点として揺動するので、操作レバー先端の係合歯９ａがラチェット歯４ａの端面から離れる。
【００２３】
そこで、図５（ｃ）に示すように操作レバー９から指先を離すと、弾性体１２の復元力により操作レバーが押し上げられて支持軸が楕円形の軸孔に沿って移動するので、操作レバー先端の係合歯９ａは、図５（ｄ）に示すように、一つ上のラチェット歯４ａの傾斜歯面に乗り上げることになる。
このようにして、係合歯９ａがラチェット歯４ａの傾斜歯面に乗り上げた操作レバー９は、更に弾性体１２の復元力により押し上げられるが、その際に、前記ピストン体３も弾性体１２の復元力により押し進められて、図５（ｅ）に示すように、操作レバーの係合歯９ａはラチェット歯４ａの係止端面に当接して係止される。
【００２４】
上記したように本願発明の二液注出容器１は、操作レバーを揺動可能に保持する支持体５の先端の軸受け部５ａを楕円形をした軸孔に形成して、操作レバー９を指先で押圧させることにより先端部の係合歯９ａを簡単に揺動させることができるようにしたので、前記操作レバー９を揺動させる度に、先端部の係合歯９ａがラチェット歯４ａの一段分ずつ先方へ順送りされるので、操作レバーの係合歯９ａが前進する度ごとに、前記ピストン体３は弾性体１２が復元する際の反発力により、ラチェット歯４ａ一段分の距離だけ円筒容器体２ａ内に確実に押し込まれて、混合される内溶液が注出ヘッド６の注出ノズル６ａからラチェット歯４ａの一個分に相当する量だけ確実に押し出される。
【００２５】
本願発明は、操作レバーを保持する支持体５の先端の軸受け部５ａを、楕円形をした軸孔に代えて円形状をした軸孔に形成しても、前記した場合と同様に操作レバーを揺動可能に保持することができる。
しかし、その場合には、操作レバーの支持軸が下方へ移動することがないので、操作レバー先端部の係合歯９ａをラチェット歯４ａから離して次のラチェット歯４ａの傾斜面に係合するよう揺動させるには、操作レバーをやや強く押圧して操作レバーの支持体５を変形させて揺動させることが必要である。
【００２６】
尚、上記した二液注出容器に於いては、注出容器本体２を形成する二つの円筒容器体２ａは同じ内径にした同内容積に形成し、また、ピストン体３を形成する両ピストン３ａは同じ外径にした同体積の円筒体に形成したものを一体に連結して、混合する内溶液が等量であるように形成したが、本願の発明は、このように注出容器本体とピストン体を円筒形に限定する必要もなくて、多角形をした筒状容器体で形成してもよくて、また、注出容器本体の内容積を等しくする必要もなくて、異なる内容積の筒状容器体からなる注出容器本体に形成してもよい。
更に、本願発明は、注出容器本体を二つの筒状容器体で形成したものに限らず、三つ以上の筒状容器体で形成することも可能である。
また、上記した注出容器体２は、別体に成形した筒状容器体を連結部材により連結して一体に形成することも、また、射出成形等により一体成形することも可能であり、同様に、ピストン体３についても、別体に成形した筒状のピストンを連結部材により連結して一体に形成することも、射出成形等により一体成形することも可能である。
【００２７】
例えば、図７に示したように、注出容器本体２２を形成する二つの円筒容器体２２ａ，２２ｂの内径を異なるものにして、内容積が２：１あるいは３：１等となるように形成して、これに摺動自在に装着するピストン体３３を形成する二つのピストン３３ａ，３３ｂの外径も前記円筒容器体２２ａ，２２ｂの容積比に見合った異なるものにすることにより、注出する内溶液の混合比率を変えたものにすることが可能になる。
【００２８】
また、前記した二液注出容器に於ける注出容器本体２およびピストン体３は、熱可塑性合成樹脂の射出成形により、それぞれ図３および図６に見られるように、二つの円筒容器体２ａは第一連結部材７により、また、二つのピストン３ａは第二連結部材８により連結された状態に一体成形されたものであるが、本願の発明の注出容器本体２およびピストン体３は、このような一体成形したものに限定される必要はない。
【００２９】
例えば、図７に見られるように、熱可塑性合成樹脂やガラスその他により注出容器本体２２を形成する二つの円筒容器体２２ａ，２２ｂを別々に成形した下端部を、ピストン体３３が摺動自在に挿入できるように別体に形成した第一の連結部材３７により連結した注出容器本体２２を形成して、また同様に、ピストン体３３を形成する二つのピストン３３ａ，３３ｂを別々に成形した下端部に、別体に形成された第二の連結部材３８を嵌着して固定して連結したピストン体３３を形成して、前記注出容器本体２２内にピストン体３３を摺動自在に挿入できるように形成することも可能である。
前記円筒容器体２２ａ，２２ｂには上記した実施例と同じように、それぞれの上端部に注出口２３ａ，２３ｂが設けられ、また、前記ピストン３３ａ，３３ｂの上端には摺動部材２１ａ，２１ｂが設けられている。
【００３０】
【発明の効果】
本願発明の多液注出容器は、注射器状に形成した複数の筒状容器体を並列状に連結して一体に形成した注出容器本体に、複数のピストンを並列状に連結して前記注出容器本体に挿入可能に形成したピストン体を摺動自在に装着すると共に、ピストン体に設けた操作レバーの係合歯を注出容器本体に設けたラチェット歯に係合させて、操作レバーの揺動させることによりピストン体を前進させて、注出容器本体の複数の円筒容器体内に収容された溶液を注出するように構成したので、ピストン体が一定長さだけ確実に押し進めることができて、同時に複数の溶液を決められた量だけ正確に注出することが可能である。
【図面の簡単な説明】
【図１】本願発明の二液注出容器を示す斜視図（ｂ）とそのＸ−Ｘ断面図（ａ）である。
【図２】図１に示す二液注出容器の側面図（ｂ）とその上面図（ａ）である。
【図３】図１に示す二液注出容器のＹ−Ｙ断面図（ｂ）とその上面図（ａ）である。
【図４】本願発明の二液注出容器の操作レバーの構造を示す断面図である。
【図５】本願発明の二液注出容器の注出操作を示す操作レバーの状態図である。
【図６】図１に示す二液注出容器の注出容器本体とピストン体を示す斜視図である。
【図７】本願発明の二液注出容器の別な実施例の注出容器本体とピストン体を示す断面図である。
【図８】本願発明の二液注出容器の先行例を示す側面図である。
【図９】図７に示す二液注出容器の縦断面図である。
【符号の説明】
１．    二液注出容器
２．    注出容器本体
２ａ．  円筒容器体
２ｂ．  注出口
３．    ピストン体
３ａ．  ピストン
４．    ラチェット部材
４ａ．  ラチェット歯
５．    支持体
６．    注出ヘッド
６ａ．  注出ノズル
７．    第一連結部材
８．    第二連結部材
９．    操作レバー
９ａ．  係合歯
１０．  蓋体
１１．  摺動部材
１２．  弾性体
【図１】
0004082492.tif 000002
【図２】
0004082492.tif 000003
【図３】
0004082492.tif 000004
【図４】
0004082492.tif 000005
【図５】
0004082492.tif 000006
【図６】
0004082492.tif 000007
【図７】
0004082492.tif 000008
【図８】
0004082492.tif 000009
【図９】
0004082492.tif 000010